(57)【要約】【課題】ネットワーク装置からネットワーク管理装置へ送信される管理情報の転送データ量を削減することができるネットワーク装置等を提供する。【解決手段】ネットワーク装置は、ＳＮＭＰ(Simple Network Management Protocol)のＭＩＢ(Management Information Base)に基づく全ての管理情報を一括して、マークアップ記述言語表記の包括管理データに変換する表記変換手段と、先の更新時刻における包括管理データを記憶する先行データ記憶手段と、先行データ記憶手段に記憶された包括管理データと、後の更新時刻における包括管理データとから、差分データを生成する差分データ生成手段と、差分データを、ネットワーク管理装置へ送信する通信インタフェース手段とを有する。マークアップ記述言語は、ＸＭＬ(eXtensible Markup Language)であり、差分データは、ＲＳＳ(Rich/RDF Site Summary)情報である。【選択図】図２
2009265718.tif 000002
【特許請求の範囲】
【請求項１】
管理対象であって多数の管理情報を蓄積するネットワーク装置において、
全ての管理情報を一括して、マークアップ記述言語表記の包括管理データに変換する表記変換手段と、
先の更新時刻における前記包括管理データを記憶する先行データ記憶手段と、
前記先行データ記憶手段に記憶された前記包括管理データと、後の更新時刻における前記包括管理データとから、差分データを生成する差分データ生成手段と、
前記差分データを、ネットワーク管理装置へ送信する通信インタフェース手段と
を有することを特徴とするネットワーク装置。
【請求項２】
前記表記変換手段における前記マークアップ記述言語は、ＸＭＬ(eXtensible Markup Language)であり、
前記差分データ生成手段における前記差分データは、ＲＳＳ(Rich/RDF Site Summary)情報である
ことを特徴とする請求項１に記載のネットワーク装置。
【請求項３】
前記管理情報は、ＳＮＭＰ(Simple Network Management Protocol)のＭＩＢ(Management Information Base)に基づくものであることを特徴とする請求項１又は２に記載のネットワーク装置。
【請求項４】
管理対象であって多数の管理情報を管理するネットワーク装置と通信可能なエージェントサーバであって、
前記ネットワーク装置から前記管理情報を取得する管理情報取得手段と、
全ての管理情報を一括して、マークアップ記述言語表記の包括管理データに変換する表記変換手段と、
先の更新時刻における前記包括管理データを記憶する先行データ記憶手段と、
前記先行データ記憶手段に記憶された前記包括管理データと、後の更新時刻における前記包括管理データとから、差分データを生成する差分データ生成手段と、
前記差分データを、ネットワーク管理装置へ送信する通信インタフェース手段と
を有することを特徴とするエージェントサーバ。
【請求項５】
前記表記変換手段における前記マークアップ記述言語は、ＸＭＬであり、
前記差分データ生成手段における前記差分データは、ＲＳＳ情報である
ことを特徴とする請求項４に記載の管理情報エージェントサーバ。
【請求項６】
前記管理情報は、ＳＮＭＰのＭＩＢにおける管理情報に基づくものであることを特徴とする請求項４又は５に記載のエージェントサーバ。
【請求項７】
管理対象であって多数の管理情報を蓄積するネットワーク装置に搭載されたコンピュータを機能させるプログラムにおいて、
全ての管理情報を一括して、マークアップ記述言語表記の包括管理データに変換する表記変換手段と、
先の更新時刻における前記包括管理データを記憶する先行データ記憶手段と、
前記先行データ記憶手段に記憶された前記包括管理データと、後の更新時刻における前記包括管理データとから、差分データを生成する差分データ生成手段と、
前記差分データを、ネットワーク管理装置へ送信する通信インタフェース手段と
してコンピュータを機能させることを特徴とするプログラム。
【請求項８】
管理対象であって多数の管理情報を管理するネットワーク装置と通信可能なエージェントサーバに搭載されたコンピュータを機能させるプログラムであって、
前記ネットワーク装置から前記管理情報を取得する管理情報取得手段と、
全ての管理情報を一括して、マークアップ記述言語表記の包括管理データに変換する表記変換手段と、
先の更新時刻における前記包括管理データを記憶する先行データ記憶手段と、
前記先行データ記憶手段に記憶された前記包括管理データと、後の更新時刻における前記包括管理データとから、差分データを生成する差分データ生成手段と、
前記差分データを、ネットワーク管理装置へ送信する通信インタフェース手段と
してコンピュータを機能させることを特徴とするプログラム。
【請求項９】
多数の管理情報を管理するネットワーク装置における管理情報送信方法において、
全ての管理情報を一括して、マークアップ記述言語表記の包括管理データに変換する第１のステップと、
先の更新時刻における前記包括管理データと、後の更新時刻における前記包括管理データとから、差分データを生成する第２のステップと、
前記差分データを、ネットワーク管理装置へ送信する第３のステップと
を有することを特徴とする管理情報送信方法。
【発明の詳細な説明】
【技術分野】
【０００１】
本発明は、ネットワーク管理情報の差分データのみを送信するネットワーク装置、サーバ、プログラム及び方法に関する。特に、ＳＮＭＰ(Simple Network Management Protocol)でエージェントとして機能するネットワーク装置等に関する。
【背景技術】
【０００２】
従来、ＴＣＰ／ＩＰ(Transmission Control Protocol / Internet Protocol)ネットワークを管理するためのプロトコルとして、ＩＥＴＦ(Internet Engineering Task Force)によって標準化されたＳＮＭＰ(Simple Network Management Protocol)がある。
【０００３】
ＳＮＭＰによれば、「マネージャ」が、「エージェント」に対して「プロトコル仕様」によって通信し、「ＭＩＢ(Management Information Base)」に記録される管理情報を取得し且つ更新する。「マネージャ」は、ネットワーク管理装置で実行されるものであって、エージェントから管理情報を取得し、且つ、その管理情報を更新する。「エージェント」は、管理対象となるネットワーク装置で実行されるものであって、マネージャからの要求に応じてＭＩＢの管理情報を検索し、読み出された管理情報の値（数値又は文字）をマネージャへ送信し、且つ、当該管理情報の更新を受け付ける。「プロトコル仕様」は、マネージャとエージェントとの間のやりとりを規定するものであって、ＲＦＣ(Request
for Comment)で規定されている。「ＭＩＢ」は、管理情報のデータ構造及びパラメータを、共通フォーマットで定義したデータベースである。
【０００４】
ＭＩＢは、ネットワーク装置（エージェント）の様々な管理情報を含む。例えば、ネットワーク装置が、リピータハブであればコリジョン数及びエラーフレーム数等であり、ＬＡＮスイッチであればＶＬＡＮ設定情報等であり、ルータであればＩＰパケット受信数又はルーティングテーブル等である。また、ネットワーク装置における機器名称、起動後の経過時間、設置場所のような情報も含まれる。
【０００５】
ＭＩＢは、管理目的によって様々なグループに分類され、ファイルシステムのディレクトリのようなツリー構造を有する。管理情報及びグループの識別は、ＯＩＤ(Object IDentifier、オブジェクト識別子)によって管理する。即ち、ＯＩＤと管理情報とは、１対１に対応付けられる。また、ツリー構造の分岐点毎に、分岐点番号を「．」で区切って、各管理情報及びグループを指定する。例えば、システム稼動時間を表わすＯＩＤの「sysUpTime」は、「1.3.6.1.2.1.1.3」で表わされる。
【０００６】
図１は、ＳＮＭＰを用いたシーケンス図である。
【０００７】
図１によれば、ネットワーク管理装置（マネージャ）は、取得すべき管理情報のＯＩＤを指定して、ネットワーク装置（エージェント）へ、管理情報の取得要求(GetRequest, GetNextRequest)を送信する。これに対し、ネットワーク装置は、ＭＩＢから、そのＯＩＤに対応する値を取得する。そして、ネットワーク装置は、ネットワーク管理装置へ、その値を含む取得応答を返信する。また、管理情報の一括取得要求(GetBulkRequest)に対しては、その範囲の全ての管理情報が取得応答に含められる。
【０００８】
ネットワーク管理装置は、ネットワーク装置から受信したそのＯＩＤに対応する値を、ディスプレイに表示する。これによって、ネットワーク管理装置を操作するオペレータは、そのＯＩＤに対応する値を視認することができ、ネットワーク状態を判断することができる。
【０００９】
ここで、管理用ネットワークについて、エージェントからマネージャへ送信されるＭＩＢの管理情報の転送データ量を削減する技術がある（例えば特許文献１参照）。この技術によれば、エージェントが、ＭＩＢの管理情報の差分テーブルを備えることにより、ＭＩＢ全体の管理情報を取得する場合と比較して、転送データ量が少なくなる。
【００１０】
【特許文献１】特開２０００−０６６９７８号公報
【発明の開示】
【発明が解決しようとする課題】
【００１１】
しかしながら、特許文献１に記載された技術によれば、転送データ量は削減できるが、ＳＮＭＰに基づくプロトコル仕様の下でＭＩＢの管理情報を取得することは既存技術と同じである。従って、ＳＮＭＰの取得要求のコマンド体系に縛られている。具体的には、ＯＩＤ毎にGetRequest/GetNextRequestを送信するか、又は、一定の範囲のＯＩＤを一括してGetBulkRequestを送信するしかない。特に、ある時刻における複数の管理情報の更新が、ＭＩＢの中で離散して実行された場合、一定範囲のＯＩＤを指定したGetBulkRequestを複数回送信する必要もある。
【００１２】
このようなＳＮＭＰのコマンド体系の中では、マネージャが、更新データのみを取得するために、更新されていない他のＯＩＤの値も取得せざるを得ない。管理用ネットワークにおける管理情報の転送データ量自体を削減できたとしても、要求−応答のトランザクション数は逆に増加することとなる。このような問題は、数千台〜数万台のネットワーク装置を備えたネットワークシステムを管理する場合、極めて顕著となる。
【００１３】
そこで、本発明は、ネットワーク装置からネットワーク管理装置へ送信される管理情報の転送データ量を削減することができるネットワーク装置、サーバ、プログラム及び方法を提供することを目的とする。
【課題を解決するための手段】
【００１４】
本発明によれば、管理対象であって多数の管理情報を蓄積するネットワーク装置において、
全ての管理情報を一括して、マークアップ記述言語表記の包括管理データに変換する表記変換手段と、
先の更新時刻における包括管理データを記憶する先行データ記憶手段と、
先行データ記憶手段に記憶された包括管理データと、後の更新時刻における包括管理データとから、差分データを生成する差分データ生成手段と、
差分データを、ネットワーク管理装置へ送信する通信インタフェース手段と
を有することを特徴とする。
【００１５】
本発明のネットワーク装置における他の実施形態によれば、表記変換手段におけるマークアップ記述言語は、ＸＭＬ(eXtensible Markup Language)であり、差分データ生成手段における差分データは、ＲＳＳ(Rich/RDF Site Summary)情報であることも好ましい。
【００１６】
本発明のネットワーク装置における他の実施形態によれば、管理情報は、ＳＮＭＰ(Simple Network Management Protocol)のＭＩＢ(Management Information Base)に基づくものであることも好ましい。
【００１７】
本発明によれば、管理対象であって多数の管理情報を管理するネットワーク装置と通信可能なエージェントサーバであって、
ネットワーク装置から管理情報を取得する管理情報取得手段と、
全ての管理情報を一括して、マークアップ記述言語表記の包括管理データに変換する表記変換手段と、
先の更新時刻における包括管理データを記憶する先行データ記憶手段と、
先行データ記憶手段に記憶された包括管理データと、後の更新時刻における包括管理データとから、差分データを生成する差分データ生成手段と、
差分データを、ネットワーク管理装置へ送信する通信インタフェース手段と
を有することを特徴とする。
【００１８】
本発明のエージェントサーバにおける他の実施形態によれば、表記変換手段におけるマークアップ記述言語は、ＸＭＬであり、差分データ生成手段における差分データは、ＲＳＳ情報であることも好ましい。
【００１９】
本発明のエージェントサーバにおける他の実施形態によれば、管理情報は、ＳＮＭＰのＭＩＢにおける管理情報に基づくものであることも好ましい。
【００２０】
本発明によれば、管理対象であって多数の管理情報を蓄積するネットワーク装置に搭載されたコンピュータを機能させるプログラムにおいて、
全ての管理情報を一括して、マークアップ記述言語表記の包括管理データに変換する表記変換手段と、
先の更新時刻における包括管理データを記憶する先行データ記憶手段と、
先行データ記憶手段に記憶された包括管理データと、後の更新時刻における包括管理データとから、差分データを生成する差分データ生成手段と、
差分データを、ネットワーク管理装置へ送信する通信インタフェース手段と
してコンピュータを機能させることを特徴とする。
【００２１】
本発明によれば、管理対象であって多数の管理情報を管理するネットワーク装置と通信可能なエージェントサーバに搭載されたコンピュータを機能させるプログラムであって、
ネットワーク装置から管理情報を取得する管理情報取得手段と、
全ての管理情報を一括して、マークアップ記述言語表記の包括管理データに変換する表記変換手段と、
先の更新時刻における包括管理データを記憶する先行データ記憶手段と、
先行データ記憶手段に記憶された包括管理データと、後の更新時刻における包括管理データとから、差分データを生成する差分データ生成手段と、
差分データを、ネットワーク管理装置へ送信する通信インタフェース手段と
してコンピュータを機能させることを特徴とする。
【００２２】
本発明によれば、多数の管理情報を管理するネットワーク装置における管理情報送信方法において、
全ての管理情報を一括して、マークアップ記述言語表記の包括管理データに変換する第１のステップと、
先の更新時刻における包括管理データと、後の更新時刻における包括管理データとから、差分データを生成する第２のステップと、
差分データを、ネットワーク管理装置へ送信する第３のステップと
を有することを特徴とする。
【発明の効果】
【００２３】
本発明のネットワーク装置、サーバ、プログラム及び方法よれば、管理情報における差分データしか転送されないために、ネットワーク装置からネットワーク管理装置へ送信される管理情報の転送データ量を削減することができる。
【発明を実施するための最良の形態】
【００２４】
以下では、図面を用いて、本発明を実施するための最良の形態について詳細に説明する。
【００２５】
図２は、本発明におけるネットワーク装置の機能構成図である。
【００２６】
ネットワーク装置１は、管理対象であって多数の管理情報を蓄積し、ＳＮＭＰにおけるエージェントとして機能する。図２によれば、ネットワーク装置１は、管理情報蓄積部１１と、表記変換部１２と、先行データ記憶部１３と、差分データ生成部１４と、エージェント機能部１５と、通信インタフェース部１６とを有する。通信インタフェース部１６以外の機能構成部は、ネットワーク装置に搭載されたコンピュータを機能させるプログラムを実行することによって実現される。
【００２７】
管理情報蓄積部１１は、多数の管理情報を蓄積する。管理情報は、ＳＮＭＰ(Simple Network Management Protocol)のＭＩＢ(Management Information Base)に基づくものであって、逐次更新されている。
【００２８】
エージェント機能部１５は、ＳＮＭＰのエージェントの機能を有し、通信インタフェース部１６を介して、マネージャとして機能するネットワーク管理装置３と通信する。エージェント機能部１５は、ネットワーク管理装置３から、ＯＩＤを指定した管理情報の取得要求（例えばGetRequest）又は更新要求を受信する。これに対し、エージェント機能部１５は、管理情報蓄積部１１を検索し、その管理情報を取得し又は更新する。
【００２９】
また、エージェント機能部１５は、更に、ネットワーク管理装置３から、本発明特有のＲＳＳ要求（例えばGetRSSRequest）を受信する。ＲＳＳ要求は、ネットワーク管理装置３からの差分データ要求である。ＲＳＳ要求は、差分データ生成部１４へ出力され、差分データが生成される。
【００３０】
更に、エージェント機能部１５が受信するＲＳＳ要求には、必要とするＯＩＤ範囲が指定されていることも好ましい。差分データ生成部１４は、指定されたＯＩＤ範囲について更新された差分データのみを生成する。ネットワーク管理装置３を操作するオペレータの要求に応じて、管理用ネットワークを通過する転送データ量を削減することができる。
【００３１】
表記変換部１２は、全ての管理情報を一括して、マークアップ記述言語表記の包括管理データに変換する。そのマークアップ記述言語は、具体的にはＸＭＬ(eXtensible Markup Language)である。ＸＭＬとは、文書やデータの意味や構造を記述するためのマークアップ言語の１つであり、「タグ」と称される特定の文字列を用いて構造を埋め込むものである。
【００３２】
包括管理データは、先行データ記憶部１３及び差分データ生成部１４へ出力される。包括管理データには、例えば以下のように、いくつかの記載方法がある。尚、ＲＳＳ情報の表記における、一般的な定型ヘッダ（例えばtitle、link等）の記載は省略している。
「#Oid=1.3.6.1」：「MIB/Management/Interface/InOctet”」のデータが、「12345678」である場合
［表記例１］
<oid key=“1”>
<name>MIB</name>
<oid key=“3”>
<name>Management</name>
<oid key=“6”>
<name>Interface</name>
<oid key=“1”>
<name>InOctet</name>
<value>12345678</value>
</oid>
</oid>
</oid>
</oid>
［表記例２］
<oid key=“1.3.6.1”>
<name>InOctet</name>
<value>12345678</value>
</oid>
【００３３】
先行データ記憶部１３は、先の更新時刻における包括管理データを記憶する。表記変換部１２から出力された包括管理データが、一時的に記憶される。そして、その包括管理データは、次の更新時刻に、差分データ生成部１４へ出力される。
【００３４】
差分データ生成部１４は、先行データ記憶部１３に記憶された包括管理データと、後の更新時刻における包括管理データとから、差分データを生成する。その差分データは、ＲＳＳ(Rich/RDF Site Summary)情報である。差分データ生成部１４は、生成した差分データを、通信インタフェース部１６を介してネットワーク管理装置３へ送信する。
【００３５】
ＲＳＳ技術は、コンテンツ配信技術として一般的なものであって、Ｗｅｂサイト又はブログサイトの更新情報（新着コンテンツ）のみを公開する技術である。ＲＳＳ情報は、ＸＭＬベースのフォーマットであって、サイトにおける「タイトル、アドレス、見出し、要約（概要）、更新日時」などのメタデータを構造化して記述したものである。これに対し、本発明は、ＳＮＭＰのＭＩＢをＸＭＬフォーマットに変換することによって、ＲＳＳの差分抽出技術を適用できるようにしたものである。
【００３６】
差分データ生成部１４は、例えば前述した包括管理データから、以下のようなＲＳＳ情報情報を生成する。
「#Oid=1.3.6.1」：「MIB/Management/Interface/InOctet”」のデータが、「12345678」であって、差分取得間隔が１５分、差分値が「54321」の場合である。
［表記例１］
<oid key=“1”>
<name>MIB</name>
<oid key=“3”>
<name>Management</name>
<oid key=“6”>
<name>Interface</name>
<oid key=“1”>
<name>InOctet</name>
<value>12345678</value>                絶対データ
<pubDate>2008-04-18 17:30:28</pubDate> データ取得（更新）日時
<dvalue>54321</dvalue>                 差分データ
<dtime>00:15:00</dtime>                差分データ取得間隔
</oid>
</oid>
</oid>
</oid>
［表記例２］
<oid key=“1.3.6.1”>
<name>InOctet</name>
<value>12345678</value>                            絶対データ
<pubDate>2008-04-18 17:30:28</pubDate>             データ取得（更新）日時
<dvalue>54321</dvalue>                             差分データ
<dtime>00:15:00</dtime>                            差分データ取得間隔
</oid>
【００３７】
尚、本発明によれば、ネットワーク管理装置３が、既存のパーソナルコンピュータに、Ｗｅｂブラウザを搭載したものであってもよい。ＷｅｂブラウザにＲＳＳリーダをインストールしておくことによって、Ｗｅｂアプリケーションのインタフェース（ＡＰＩ）を介して、ネットワーク装置における更新された管理情報のみを取得することができる。Ｗｅｂブラウザを用いることによって、必要な管理情報を収集しつつ、他のアプリケーションとの連携操作も可能となる。
【００３８】
図３は、本発明における第１のエージェントサーバの機能構成図である。
【００３９】
図３によれば、エージェントサーバ２がネットワークに更に接続されている。図２によれば、全てのネットワーク装置が、表記変換部１２と、先行データ記憶部１３と、差分データ生成部１４とを備える必要がある。しかしながら、既存システム利用の観点とコストの観点とから、全てのネットワーク装置にこれら機能を備えることは難しい。そこで、既存のネットワーク装置から管理情報を収集し、ネットワーク管理装置に対してエージェントとして機能するサーバを更に備えた。
【００４０】
図３のエージェントサーバ２は、管理情報蓄積部２１と、表記変換部２２と、先行データ記憶部２３と、差分データ生成部２４と、マネージャ機能部２５と、通信インタフェース部２６とを有する。通信インタフェース部１６以外の機能構成部は、ネットワーク装置に搭載されたコンピュータを機能させるプログラムを実行することによって実現される。また、マネージャ機能部２５以外の機能構成部は、図２に表された機能構成部と同じである。
【００４１】
即ち、エージェントサーバ２は、ネットワーク装置１に代わって、本発明の本質的な表記変換部１２と、先行データ記憶部１３と、差分データ生成部１４とを備える。そして、マネージャとしてのネットワーク管理装置３に対して、エージェントとして機能する。
【００４２】
マネージャ機能部２５は、ＳＮＭＰのマネージャの機能を有し、通信インタフェース部１６を介して、エージェントとして機能するネットワーク装置１と通信する。マネージャ機能部２５は、ネットワーク装置１から管理情報を取得し、それら管理情報を管理情報蓄積部２１へ蓄積する。
【００４３】
図４は、本発明における第２のエージェントサーバの機能構成図である。
【００４４】
図４によれば、図２のシステムに第２のエージェントサーバを備えたものである。従って、全てのネットワーク装置１は、全てのネットワーク装置が、表記変換部１２と、先行データ記憶部１３と、差分データ生成部１４とを備えている。第２のエージェントサーバは、ネットワーク装置１から差分データを収集し、更にエリア又はカテゴリに応じて、その差分データを統合管理する。即ち、ネットワーク装置毎の差分データの生成と、その差データの統合管理との２段階で構成されている。
【００４５】
第２のエージェントサーバ２は、通信インタフェース部２６と、ＲＳＳリーダ部２７と、管理情報統合蓄積部２８と、ＲＳＳ制御部２９とを有する。通信インタフェース部２６以外の機能構成部は、サーバに搭載されたコンピュータを機能させるプログラムを実行することによって実現できる。
【００４６】
ＲＳＳリーダ部２７は、ネットワーク装置１へＲＳＳ要求(例えばGetRSSRequest)を送信し、ＲＳＳ情報(例えばGetRSSResponse)を受信する。受信したＲＳＳ情報は、管理情報統合蓄積部２８へ出力する。
【００４７】
管理情報統合蓄積部２８は、ネットワークに接続された全てのネットワーク装置１における管理情報を蓄積すると共に、ネットワーク装置のエリア毎、又は、ＯＩＤのカテゴリ毎に統合管理する。管理情報統合蓄積部２８は、各ネットワーク装置から、更新された管理情報の差分データ（ＲＳＳ情報）のみを取得していく。
【００４８】
ＲＳＳ制御部２９は、ネットワーク管理装置３からＲＳＳ要求(例えばGetRSSRequest)を受信し、管理情報統合蓄積部２８を検索し、ＲＳＳ情報(例えばGetRSSResponse)を返信する。このとき、ＲＳＳ要求には、ネットワーク装置のエリア毎、又は、ＯＩＤのカテゴリ毎に指定することができる。これに対するＲＳＳ情報には、エリア毎又はカテゴリ毎に、更新された差分データのみが含められる。これにより、ネットワーク管理装置３を操作するオペレータが必要とする更新された管理情報のみが、管理用ネットワークに転送されるようになる。
【００４９】
以上、詳細に説明したように、本発明のネットワーク装置、サーバ、プログラム及び方法よれば、管理情報における差分データしか転送されないために、ネットワーク装置からネットワーク管理装置へ送信される管理情報の転送データ量を削減することができる。特に、オペレータが必要としない管理情報だけでなく、更新されていない管理情報も、管理用ネットワークに転送されない。必要な管理情報の中で更新された管理情報のみが転送されるので、不必要なネットワーク帯域の消費を抑制できる。これは、プロセス時間及びＣＰＵ能力の無駄な消費の抑制にもつながる。
【００５０】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５１】
【図１】ＳＮＭＰを用いたシーケンス図である。
【図２】本発明におけるネットワーク装置の機能構成図である。
【図３】本発明における第１のエージェントサーバの機能構成図である。
【図４】本発明における第２のエージェントサーバの機能構成図である。
【符号の説明】
【００５２】
１  ネットワーク装置
１１  管理情報蓄積部
１２  表記変換部
１３  先行データ記憶部
１４  差分データ生成部
１５  エージェント機能部
１６  通信インタフェース部
２  エージェントサーバ
２１  管理情報蓄積部
２２  表記変換部
２３  先行データ記憶部
２４  差分データ生成部
２５  エージェント機能部<->マネージャ機能部
２６  通信インタフェース部
２７  ＲＳＳリーダ部
２８  管理情報統合蓄積部
２９  ＲＳＳ制御部
３  ネットワーク管理装置
【図１】
2009265718.tif 000003
【図２】
2009265718.tif 000004
【図３】
2009265718.tif 000005
【図４】
2009265718.tif 000006